(57)【要約】【課題】幼児らが、こぼさず、湯水をかぶることがなく、安全に食事することができる食卓用安全柵を提供する。【解決手段】食卓の縁部に沿って配置される長尺のレール部材と、前記レール部材の両端に設けられる吸盤と、前記レール部材の下面に設けられ前記吸盤を前記食卓上に押圧固定したとき前記食卓の上面と接触するパッキン部材と、を設けたことを特徴とする食卓用安全柵。パッキン部材は２重に設ける方が良い。【選択図】図1
2008272311.tif 000002
【特許請求の範囲】
【請求項１】
食卓から食器が落下したり、食卓から湯水がこぼれるのを防止し、安全に食事することができるようにした食卓用安全柵であって、
前記食卓の縁部に沿って配置される長尺のレール部材と、前記レール部材の両端に設けられる吸盤と、前記レール部材の下面に設けられ前記吸盤を前記食卓上に押圧固定したとき前記食卓の上面と接触するパッキン部材と、を設けたことを特徴とする食卓用安全柵。
【請求項２】
前記パッキン部材は紐状に２条で構成されることを特徴とする請求項１記載の食卓用安全柵。
【発明の詳細な説明】
【技術分野】
【０００１】
本発明は、食卓から食器が落下したり、同食卓から湯水がこぼれるのを防止し、幼児や手の不自由な人、あるいは老人等（以下幼児らと称す）が安全に食事することができるようにした食卓用安全柵に関する。
【背景技術】
【０００２】
赤ちゃんが食べこぼしをするのは仕方のないことである。この赤ちゃんが成長し、２〜４才の幼児となると、親等と一緒に通常食を取るようになる。
【０００３】
しかし、２〜４才の幼児は、手先がまだ不自由であるので、ときどきこぼす。食べこぼしは赤ちゃん同様ある程度仕方のないことである。
【０００４】
ところが、幼児の食べこぼしは仕方ないが、ときどき茶わんや湯のみを落とす、またスープを袖にひっかけて、食卓から床面へ落とす。
【０００５】
このとき問題となるのは、お茶やスープ等の湯水を幼児自らが自分の体に掛けてしまうことである。２〜４才の幼児であるので逃げ切れず、当然にワーと泣き出し、場合によってはやけどする。
【０００６】
特に、食卓が高い脚付のもので、幼児を椅子に座らせているような場合、幼児は逃げ場もなく、もろに湯水をかぶってしまう恐れがある。手の不自由な人や老人等においても同様の問題がある。
【０００７】
さらに、２〜４才の幼児と一緒に食事をしているお兄ちゃんやお姉ちゃんがいるとき、お兄ちゃんやお姉ちゃんが誤ってお茶など熱い物を幼児の方にこぼしかけてしまう恐れもある。「ごめん」では済まない事態が生じる。
【０００８】
このような、赤ちゃんや幼児らの食べこぼしに対する対策としては、例えば特開平９−２３８８０７号公報（食器安定具）がある。これは、食器をゴム質の材料で作って、安定化して食事を安全に行うようにしたものである。実用新案登録第３０２４１４２号公報（食べ物皿）は、底部に滑り止めを施して、かつ傾斜板部を設けて皿に盛った食べ物をスプーンで掬い易くしたようなアイデアである。
【０００９】
また、特開平８−７０９７５号公報（子供用吸盤付コースター）や特開２００２−３４５６１７号公報（食器）のように、コップや皿の底に吸盤を設けた例がある。
【００１０】
しかしながら、これら従来のものは、食器自体に特徴を持たせたものの例であり、家族等と一緒に食事するときの通常の食器には適用できない。
【００１１】
また、実開昭５９−１１５９７５号公報（受け容器付き食器盆）では、盆の手前に受け容器を付けた例があるが、盆を使うことが条件とされており、盆を使わない場合には適用できない。また、受け容器が邪魔で食事すること自体が困難となる。
【特許文献１】特開平９−２３８０７号公報、第１頁、図１
【特許文献２】実用新案登録第３０２４１４２号公報、第１頁、図６
【特許文献３】特開平８−７０９７５号公報、第１頁、図１
【特許文献４】特開２００２−３４５６１７号公報、第１頁、図１
【特許文献５】実開昭５９−１１５９７５号公報、第１頁、第１図
【発明の開示】
【発明が解決しようとする課題】
【００１２】
本発明は、食卓を囲み幼児らと家族団らん状態で食事するとき、幼児らがこぼさず食事することができ、また例え誰かが湯水をこぼしても、この湯水を幼児らにかけることがないようにして幼児に安全に食事をさせることができるようにした食卓用安全柵を提供することを目的とする。
【課題を解決するための手段】
【００１３】
上記課題を解決するための本発明の食卓用安全柵は、食卓から食器が落下したり、食卓から温水がこぼれたりするのを防止し、安全に食事することができる食卓用完全柵であって、前記食卓の縁部に沿って配置される長尺のレール部材と、前記レール部材の両端に設けられる吸盤と、前記レール部材の下面に設けられ、前記吸盤を前記食卓上に押圧固定したとき前記食卓の上面と接触するパッキン部材とを設けたことを特徴とする。
【００１４】
本発明の食卓用安全柵は、上記構成であるので、幼児等の面前に設置することにより、幼児と食卓との間をレール部材及びパッキン部材によるしきりで遮断するので、幼児等に通常食を与えながら幼児等がこぼすことがなく、幼児等に湯水をこぼしてしまう恐れがない。
【００１５】
レール部材の長さは４０〜６０ｃｍとする。幅は１ｃｍ前後である。テーブル上面より前記レール部材の天面までの高さは１ｃｍ前後（５〜１５ｍｍ）で、より好ましくは８〜１２ｍｍである。５ｍｍ以下だと湯水が飛び出てしまうことがある。１５ｍｍ以上だと邪魔で、幼児らが食事しにくくなる。
【００１６】
パッキン部材としては、ゴムシールやスポンジ材で構成することができる。パッキン部材は帯ないし紐状とし、２条（２重）構成とすることにより、確実に湯水を遮断できる。
【００１７】
食卓の縁部に高さ１ｃｍ前後のレール部材を設置するので、幼児らが肘付きするのを防止でき、幼児らの食事マナーの躾にもなる。
【発明の効果】
【００１８】
本発明の食卓用安全柵は、特許請求の範囲に記載の通りの構成を有するので、簡易な構造でありながら、幼児らが自らこぼし、又は他人から湯水をこぼしかけられる恐れがほとんどなくなるので、幼児らを安心して食卓に座らせて食事させることができる。
【００１９】
親や介護者から見ても幼児らの食事中、目が離せるので、おいしく食べさせることに集中でき、家族団らんの食事が可能となる。
【００２０】
吸盤で押圧固定するので、テープなどを貼り付けるのと異なり、繰り返し利用でき、省エネ的である。また、吸盤をねじで螺合しておけば交換自在で長期の使用に耐えることができる。
【００２１】
幼児らが肘付きするのを防止でき、幼児らの食事マナーの躾にもなる。
【発明を実施するための最良の形態】
【００２２】
以下、添付図面を参照して本発明を実施するための最適の形態を説明する。  図１〜図３は本発明の一実施形態を示す食卓用安全柵１を示す説明図である。
【００２３】
図１に示すように、本発明の食卓用安全柵１は、食卓２の縁部２ａ（図１では手前端）に沿って配置される長尺のレール部材３と、前記レール部材３の両端に設けられる吸盤４（４Ｒ、４Ｌ）と、前記レール部材３の下面に設けられ前記吸盤４Ｒ、４Ｌを前記食卓２上に押圧固定したとき前記食卓２の上面２ｆと接触するパッキン部材５と、を設けて構成される。
【００２４】
レール部材３の長さは幼児らの食卓利用スペースを考慮し必要最小限度の幅として定められるものであり、実例から４０〜６０ｃｍが適切で、５０ｃｍとした例で示す。４０ｃｍ以下だと狭くなり、６０ｃｍ以上だと隣の邪魔となる。
【００２５】
図２及び図３に示すように、レール部材３は、断面矩形で内部の空胴部を２分（３ａ、３ｂ）する断面ヨの字形の樹脂材で作り、各空胴部３（３ａ、３ｂ）にスポンジ材で作ったパッキン部材５（５ａ、５ｂ）を嵌入固定している。
【００２６】
レール部材３の両端には、ねじ６を固定し、これに吸盤６に埋め込んだナット７を螺合して、吸盤４（４Ｒ、４Ｌ）をレール部材３に固定できるようにしている。従って、吸盤４は高さ調節でき、しかも交換自在である。
【００２７】
パッキン部材５（５ａ、５ｂ）の長さは、レール部材３に沿って吸盤４（４Ｒ、４Ｌ）に至るまでの長さとし、中間において洩れのない状態で連続したものとする。
【００２８】
吸盤４（４Ｒ、４Ｌ）とパッキン部材５（５ａ、５ｂ）との高さ関係では、吸盤４を食卓２の上面２ｆに押圧固定したとき、パッキン部材５とテーブル上面２ｆとの間に隙間ができない程度とする。この隙間は食卓から湯水がこぼれたとき、湯水が幼児らにふりかからなければよいので、実質的にゼロであればよく、特に本例のパッキン部材５（５ａ、５ｂ）は２重に構成しているので、０．３〜０．５ｍｍ程度の隙間が開いていても構わない。
【００２９】
図４に他の実施形態を示した。図４の食卓用安全棚８は、レール部材９の両端を内又は外方に少し反らせ、弓状に構成した例である。他の部材については図１のものと同様であるので、同一参照符号を付けて示す。このように、レール部材９を弓状に反らせると、吸盤４Ｒ、４Ｌを食卓２の内側へ移動させることができ、レール部材８を食卓の縁部２ａに沿って設置することができる。縁部２ａとの間に距離が出るが、幼児らの希望によってレール部材８を逆転させて使うのは構わない。
【００３０】
図４を用いて、図１又は図４に示した食卓用安全棚１、８の作用について説明する。
【００３１】
まず、テーブル２の一角に食卓用安全棚１、８を置き、吸盤４Ｒ、４Ｌを押し下げて、食卓２の縁部２ａとレール部材３、９との間に大きな隙間を開けない状態で設置する。
【００３２】
次に、食卓２上に食器１０を並べ、幼児ら１１を座らせる。食器１０としては、できるだけ熱いものは避けるが、余り気を使う必要はなく、幼児ら１１が食べたそうなものを適切に並べてあげる。
【００３３】
図４には、食卓２上に、箸１０ａ、スプーン１０ｂ、あまり熱くない味噌汁１０ｃ、ご飯１０ｄ、スープ１０ｅ、コロッケ皿１０ｆ、少し冷ましたお茶１０ｇ、たまご焼きの入った皿１０ｈが並べられ、少し離れた位置に共用のポット１０ｉ、醤油さし１０ｊ、塩の入ったビン１０ｋ等が配置されているものとする。
【００３４】
さあ、お食べ、と声がかかる。幼児ら１１は食べ始める。何から食べるかは自由である。お箸１０ａを手に取り、コロッケ１０を食べる。次に目玉焼き１０ｈに手を出すと、さっそくと味噌汁１０ｃを引っ掛けてしまい、手前にこぼしてしまうこともある。袖に引っ掛けることが多い。
【００３５】
このような場合、味噌汁１０ｃは食卓２上にこぼれるが、食卓２から外に落下することはない。また、味噌汁１０ｃやお茶１０ｇの湯水が幼児ら１１に多量にこぼれかかる恐れは少ない。図４の配置では、味噌汁１０ｃは食卓２の内側に少し寄せた位置に置いてある。特に、熱いものは食卓の内側に寄せておくべきである。
【００３６】
さらに、食卓２の反対面にお兄ちゃんが座っており、ポット１０ｉのお茶や、手を伸ばして幼児ら１１のお茶１０ｇをこぼしてしまい、そのこぼれ湯を幼児ら１１の方に押し寄せてしまうことがある。
【００３７】
このような場合でも、食卓２上に本発明の食卓用安全柵１、８を設けているので、こぼされた湯水はレール部材３、９及びパッキン部材５で遮断され、幼児ら１１にふりかからず、安全に食事できる。
【００３８】
実際例を示すと、図１に示した食卓用安全柵１を発明者の実子である２才幼児に１年間適用した結果、幼児は自分のエリアが与えられたことを喜んで利用すると共に、実際お茶わんを落としたり、湯水の入った茶わんやコップを落とすことがなくなり、さらには誤って幼児に湯水をふりかけるような事故は皆無であった。親心、介護者からの心のこもった贈り物であることが実証された。
【００３９】
上記実施形態では、レール部材３、９を樹脂製としたが、これは木材、金属その他の材料であっても良い。また、パッキン材５をスポンジ部材で作ったが、これはゴムであっても布であってもよく、要するに湯水を大量に通過させない材料であればよい。
【００４０】
さらに、パッキン部材５をレール部材３、９に嵌合する例で示したが、接着、接合であってもよく、樹脂一体成型などによりレール部材と同一素材で一体に成型されたものであっても良い。吸盤４は両端に一対設けたが、小さな吸盤を中間に設ける等、固定を確実とするための付加的手段を設けるのも構わない。
【００４１】
さらに、幼児への適用のため、レール部材の上面に、「あいうえお」などのひらがなの模様や、「１、２、３、４、５」の数字の模様や、色々な動物、乗り物などの模様をつけることにより、楽しみながら食事できるようにすることもできる。
【００４２】
図５は本発明の他の実施形態に係る食卓用安全柵１２を示す断面図である。レール部材３ａの中央部分の断面図で示しており、吸盤４は省略して示してある。
【００４３】
図５の食卓用安全柵１２は、ばね１３で下方に押圧され、パッキン部材１４ａ、１４ｂを固定した昇降部材１５をレール部材３ａの中で上下方向Ａに移動自在に収納したものである。
【００４４】
図５に示す食卓用安全柵１２は、ばね１３の力でパッキン部材１４ａ、１４ｂを下方に軽く押圧するので、図示しない吸盤４（４Ｒ、４Ｌ）を押し下げて食卓２上に固定したとき、パッキン部材１４ａ、１４ｂの下面を確実に食卓２の上面２ｆと接触させることができる。余りにばね１３の弾性力を高くすると吸盤４（４Ｒ、４Ｌ）が離脱するので、ばね１３の弾性力は小さいもので良い。
【００４５】
図６は、本発明のさらに他の実施形態に係る食卓用安全柵を示す断面図である。レール部材３ｂの中央部分での断面図で示しており、吸盤４は省略して示している。
【００４６】
図６の食卓用安全柵１６は、レール部材３ｂの内部で昇降自在の昇降部材１７を設け、この昇降部材１７の底面に図５で示したものと同様のゴム製パッキン部材１４ａ、１４ｂを設けている。
【００４７】
前記昇降部材１７の一部分の両側面には上下の方向に窪み１８が設けられ、前記レール部材３ｂには前記窪み１８に向って突出する突起１９が設けられている。従って、昇降部材１７は、突起１９が許容する範囲で窪み１８の部分が昇降自在となり、自重でもってパッキン部材１４ａ、１４ｂを食卓２上に接触させることができる。
【００４８】
図６に示した食卓用安全柵１６は図５に示したものと比べてばね１３を有さないので、レール部材３ｂを上昇させる力は加わらず、パッキン部材１４ａ、１４ｂを食卓２上に接触させながらも吸盤４に離脱させないという効果を有する。
【００４９】
図５及び図６に示した食卓用安全柵１２、１６は、食卓２との間に隙間を与えないので、食卓２上にこぼれた湯水を幼児ら１１に一切こぼしかけることがないという効果を有する。
【００５０】
食卓の縁部に高さ１ｃｍ前後のレール部材を設置するので、幼児らが肘付きするのを防止でき、幼児らの食事マナーの躾にもなる。
【００５１】
本考案は上記実施形態に限定されるものではなく、各種変形を行うことにより各種態様で実施できる。
【図面の簡単な説明】
【００５２】
【図１】本発明の一実施形態に係る食卓用安全柵の斜視図で、食卓上に設置された状態で示す。
【図２】図１のＦ２−Ｆ２線に沿って示す拡大断面図である。
【図３】図１のＦ３−Ｆ３線に沿って示す拡大断面図である。
【図４】本発明のほかの実施形態に係る食卓用安全柵の平面図で、食卓に設置され、かつ幼児を座らせて実際食事をとる状態で示す。
【図５】本発明のほかの実施形態を示す食卓用安全柵の断面図である。
【図６】本発明のさらに他の実施形態を示す食卓用安全柵の断面図である。
【符号の説明】
【００５３】
１、８、１２、１６  食卓用安全柵
２  食卓
２ａ  食卓の縁部
２ｆ  食卓の上面
３、９  レール部材
３（３ａ、３ｂ）空胴部
４（４Ｒ、４Ｌ）吸盤
５（５ａ、５ｂ）、１４（１４ａ、１４ｂ）パッキン部材
６  ねじ
７  ナット
１０（１０ａ、１０ｂ、１０ｃ、・・・）  食器
１１  幼児ら
１３  ばね
１５、１７  昇降部材
１８  窪み
１９  突起
【図１】
2008272311.tif 000003
【図２】
2008272311.tif 000004
【図３】
2008272311.tif 000005
【図４】
2008272311.tif 000006
【図５】
2008272311.tif 000007
【図６】
2008272311.tif 000008